(57)【要約】【課題】外筒を移動させなくても、内側筒に保持した草花または水を交換することができ、これにより取り扱いおよび手入れが簡便な花器を提供することを目的とする。【解決手段】上面が開放された筒形状の外筒と、外筒の内側に設けられた筒形状の内筒とを備え、内筒は、外筒に固定され、上面が開放された筒形状の外側筒と、外側筒の内側に設けられ、上面が開放された筒形状の内側筒とを有する花器を提供する。また、本考案に係る花器は、前記外筒と前記内筒との間に、竹炭からなる充填物質を有することが好ましい。【選択図】  図１
0003179723.tif 000002
【実用新案登録請求の範囲】
【請求項１】
上面が開放された筒形状の外筒と、
前記外筒の内側に設けられた筒形状の内筒とを備え、
前記内筒は、
前記外筒に固定され、上面が開放された筒形状の外側筒と、
前記外側筒の内側に設けられ、上面が開放された筒形状の内側筒とを有する
花器。
【請求項２】
前記外筒と前記内筒との間に、竹炭からなる充填物質を有する
請求項１に記載の花器。
【請求項３】
前記内側筒が、前記外側筒の内側に、着脱可能に嵌合する請求項１または２に記載の花器。
【請求項４】
前記外側筒の下面が、前記外筒の内面に固定され、
前記外側筒の軸が、前記外筒の軸と平行である
請求項１から３のいずれか一項に記載の花器。
【請求項５】
前記外筒の内側に、複数の前記内筒が設けられている請求項１から４のいずれか一項に記載の花器。
【請求項６】
前記外筒の断面内の正三角形の三つの頂点の位置のそれぞれに、前記内筒が設けられている請求項１から４のいずれか一項に記載の花器。
【考案の詳細な説明】
【技術分野】
【０００１】
本考案は、花器に関する。
【背景技術】
【０００２】
従来、花器には上面が開放され、下面が閉じた筒形状を有する容器が用いられていた（例えば、特許文献１参照）。
【先行技術文献】
【特許文献】
【０００３】
【特許文献１】特開２０１２−０９５８４７号公報
【考案の概要】
【考案が解決しようとする課題】
【０００４】
従来の花器では、花器に保持された草花、草花に供される水、または、草花および水の双方を交換または破棄するときには、花器全体を移動させる必要がある。そのため、草花などの交換などの手間がかかるという課題があった。
【課題を解決するための手段】
【０００５】
本考案の第１の態様においては、上面が開放された筒形状の外筒と、外筒の内側に設けられた筒形状の内筒とを備え、内筒は、外筒に固定され、上面が開放された筒形状の外側筒と、外側筒の内側に設けられ、上面が開放された筒形状の内側筒とを有する花器を提供する。
【考案の効果】
【０００６】
本考案に係る花器によれば、外筒を移動させなくても、内側筒に保持した草花または水を交換することができる。これにより、本考案に係る花器は、取り扱いおよび手入れが簡便である。なお、上記の考案の概要は、本考案の必要な特徴の全てを列挙したものではない。
【図面の簡単な説明】
【０００７】
【図１】本考案の実施態様に係る花器の斜視図である。
【図２】実施態様に係る花器の分解斜視図である。
【図３】実施態様に係る花器の正面図である。
【図４】実施態様に係る花器の図３におけるＡ−Ａ’断面図である。
【図５】実施態様に係る花器の図３におけるＢ−Ｂ’断面図である。
【図６】実施態様に係る花器の背面図である。
【図７】実施態様に係る花器の右側面図である。
【図８】実施態様に係る花器の図７におけるＣ−Ｃ’断面図である。
【図９】実施態様に係る花器の左側面図である。
【図１０】実施態様に係る花器の平面図である。
【図１１】実施態様に係る花器の底面図である。
【図１２】実施態様に係る花器の使用状態を示す斜視図である。
【考案を実施するための形態】
【０００８】
以下、考案の実施の態様を通じて本発明を説明するが、以下の実施態様は実用新案登録請求の範囲にかかる考案を限定するものではない。また、実施態様の中で説明されている特徴の組み合わせの全てが考案の解決手段に必須であるとは限らない。
【０００９】
図１は、本考案の実施態様に係る花器２００の斜視図である。花器２００は、筒形状の外筒２１０と、筒形状の内筒２２０とを備える。
【００１０】
外筒２１０は、上面が開放され、底面が閉じた、中空の筒形状を有する。一例として、外筒２１０は、底面が閉じた円柱形状を有する。外筒２１０は、例えば、黒色で不透明の、硬質な高分子で形成されて、自立的に形状を維持する。外筒２１０と、内筒２２０との間に、充填物質を備える。充填物質は、竹炭であってよい。竹炭とは、竹を炭化させたものである。充填物質は、竹炭に限られず、土、砂利、または、水であってもよい。
【００１１】
内筒２２０は、外筒２１０の内側に設けられる。内筒２２０は、全体として、上面が開放され、底面が閉じた、中空の筒形状を有する。一例として、内筒２２０は、全体が閉じた底面が閉じた円柱形状を有する。内筒２２０の径は、外筒２１０の径より小さい。内筒２２０は、外側筒２３０および内側筒２４０を有し、二重構造を有する。外筒２１０の内側には複数の内筒２２０が設けられている。本形態においては、外筒２１０の内側に３つの内筒２２０が設けられている。内筒２２０は、草花を支持する。一例として、内筒２２０に草花を一輪挿しする。
【００１２】
外側筒２３０および内側筒２４０は、上面が開放され、底面が閉じた、中空の筒形状を有する。一例として、外側筒２３０および内側筒２４０は、底面が閉じた円柱形状を有する。外側筒２３０および内側筒２４０は、例えば、赤色で不透明の、硬質な高分子で形成されて、自立的に形状を維持する。
【００１３】
外側筒２３０は、外筒２１０の内側に固定される。一例として、外側筒２３０の底面が、外筒２１０の底面に固定される。内側筒２４０は、外側筒２３０の内側に、着脱可能に嵌合する。内側筒２４０の内側には、草花を納める。また、内側筒２４０に草花とともに、草花に供給される水を納めてもよい。内筒２０６の内径は、草花を一輪挿しする程度の大きさであってよい。
【００１４】
花器２００の外筒２１０に外側筒２３０が固定されている一方で、内側筒２４０は外側筒２３０と着脱可能である。これにより、内側筒２４０に納められた草花などを交換または破棄するときに、外筒２１０および外側筒２３０を移動させなくても、内側筒に保持した草花または水を交換することができる。すなわち、花器２００においては、取り扱いおよび手入れが簡便である。
【００１５】
外側筒２３０の軸は、外筒２１０の軸と平行であってもよい。これにより、外側筒２３０の内側に設けられた内側筒２４０と、内側筒２４０に納められた草花が、上側に向かって伸びる。
【００１６】
図２は、実施態様に係る花器２００の分解斜視図である。外側筒２３０および内側筒２４０は、それぞれ、側面の上部において外側に向かって突出する円環状の円環部２３４および円環部２４４を有する。内側筒２４０が、外側筒２３０に納められたときに、内側筒２４０の円環部２４４が、外側筒２３０の側面上部に当接する。円環部２４４により、内側筒２４０が持ちやすくなる。内側筒２４０および外側筒２３０は、それぞれ、底面下側に向かって突出する円筒形状の底面突起部２４２および底面突起部２３２を有する。
【００１７】
図３は、実施態様に係る花器２００の正面図である。内筒２２０の上部が、外筒２１０の上面より上側に突出する。本形態において、正面から見て、内側筒２４０の円環部２４４の全体、および、外側筒２３０の円環部２３４の一部が、外筒２１０の上面より上側に突出する。外筒２１０は、全体として、下側の半径が上側の半径より小さいテーパー状に形成されている。また、外筒２１０の側面上部には、外側に向かって突出する円環状の円環部２１４が設けられている。テーパー形状および円環部２１４により、外筒２１０が持ちやすくなる。
【００１８】
図４は、実施態様に係る花器２００の図３におけるＡ−Ａ’断面図である。Ａ−Ａ’断面図は、外筒２１０および内筒２２０の軸に垂直な平面の断面を示す。外筒２１０の断面内の正三角形の３つの頂点の位置のそれぞれに、内筒２２０が設けられる。これにより、内筒２２０に納められる草花がバランスよく配置される。外筒２１０の底面中央の上面に、上向きに突出する外筒突起２１２が設けられている。Ａ−Ａ’断面図において、外側筒２３０の径より、内側筒２４０の径が小さい。
【００１９】
図５は、実施態様に係る花器２００の図３におけるＢ−Ｂ’断面図である。外側筒２３０の底面突起２３２は、外筒２１０に設けられた対応する外筒突起２１２の内側に配置される。これにより、外側筒２３０が、倒れにくくなる。外側筒２３４の底面は、外筒２１０に対して、外筒突起２１２の上面において接着されてよい。
【００２０】
外側筒２３４の底面は外筒２１０に接着されずに、外筒２１０の外筒突起２１２に自由に配置されてもよい。例えば、内筒２３０の一つを、外筒２１０の底面中央に設けられた外筒突起２１２に配置してもよい。
【００２１】
外側筒２３０の筒形状の軸は、嵌合する内側筒２４０の筒形状の軸と一致する。外側筒２３０および内側筒２４０は、いずれも、底面側の断面直径が、上面側の断面直径よりも小さいテーパー形状を有する。これにより、外側筒２３０への内側筒２４０の着脱を容易に行うことができる。
【００２２】
内側筒２４０の側面は外周において、外側筒２３０の側面の内周に接する。このとき、内側筒の底面突起２３２は、外側筒２３０の内面に接しない。これにより、内側筒２４０が外側筒２３０に嵌合されたときに、内側筒２４０が固定され、かつ、内側筒２３０の底面突起２３２および外側筒２４０の底面の摩耗が抑えられる。
【００２３】
図６は、実施態様に係る花器２００の背面図である。図７は、実施態様に係る花器２００の右側面図である。図８は、実施態様に係る花器２００の図７におけるＣ−Ｃ’断面図である。図９は、実施態様に係る花器２００の左側面図である。図１０は、実施態様に係る花器２００の平面図である。
【００２４】
図１１は、実施態様に係る花器２００の底面図である。外筒２１０の底面外側には、円環形状のリブ２１６が設けられる。
【００２５】
図１２は、実施態様に係る花器２００の使用状態を示す斜視図である。外筒２１０と、内筒２２０との間には、竹炭が配置される。内筒２２０の内側筒２４０には、草花３００、および、草花に供される水が納められる。これにより、草花および水の交換または破棄が容易となり、かつ、草花が長期間にわたって維持される。
【００２６】
以上、本考案を、実施態様に基づいて説明したが、本考案の技術的範囲は上記実施態様に記載の範囲には限定されない。上記実施態様に、多様な変更または改良を加えることが可能であることが当業者に明らかである。その様な変更または改良を加えた形態も本考案の技術的範囲に含まれ得ることが、実用新案登録請求の範囲の記載から明らかである。
【００２７】
例えば、外筒２１０、外側筒２３０、および、内側筒２４０のそれぞれは、多角柱であってもよく、また、透明に形成されてもよい。本実施態様において、外側筒２３０は、外筒２１０の底面に固定されているが、外側筒２３０の側面が、外筒２１０の側面に固定されてもよい。花器２００が有する内筒２２０の数は、３つに限定されず、１つまたは２つであってもよいし、４つ以上であってもよい。
【符号の説明】
【００２８】
２００  花器
２１０  外筒
２１２  外筒突起
２１４  円環部
２１６  リブ
２２０  内筒
２３０  外側筒
２３２  底面突起
２３４  円環部
２４０  内側筒
２４２  底面突起
２４４  円環部
３００  草花
３１０  竹炭
【図１】
0003179723.tif 000003
【図２】
0003179723.tif 000004
【図３】
0003179723.tif 000005
【図４】
0003179723.tif 000006
【図５】
0003179723.tif 000007
【図６】
0003179723.tif 000008
【図７】
0003179723.tif 000009
【図８】
0003179723.tif 000010
【図９】
0003179723.tif 000011
【図１０】
0003179723.tif 000012
【図１１】
0003179723.tif 000013
【図１２】
0003179723.tif 000014